(57)【要約】【課題】保管や携行中に扁平容器入り化粧料が抜け落ちてしまうことがなく、収容ならびに取り出しも容易で、特に、美観的にも優れており、サンプルなどとして使用する場合には宣伝広告機能にも優れている扁平容器入り化粧料のカード型ホルダを提供することを課題とする。【解決手段】保持面１３に形成されたスリット３が横方向に複数個が並列されているとともに前記スリット３の上方位置に横幅Ｌ１が両端に位置するスリット３に差し込んだ扁平容器入り化粧料２に半分以上掛かる長さを有する細長矩形の一辺を残す形状で切れ込み６を施して形成した押さえ片５を形成したことを特徴とする。【選択図】図１
2016016268.tif 000002
【特許請求の範囲】
【請求項１】
１枚のシート素材を縦方向に等分な２カ所で下側及び上側の順に折り重ねることにより表紙になる上シート部と背表紙となる中間シート部と前記中間シート部の表面に折り重ねて縁部において前記中間シートに固着するとともに扁平容器入り化粧料の端部が差し込まれるスリットが形成されている保持面を形成した扁平容器入り化粧料のカード型ホルダであって、
前記保持面に形成されたスリットが横方向に複数個が並列されているとともに前記スリットの上方位置に横幅が両端に位置するスリットに差し込んだ扁平容器入り化粧料に半分以上掛かる長さを有する細長矩形の一辺を残す形状で切れ込みを施して形成した押さえ片を形成したことを特徴とする扁平容器入り化粧料のカード型ホルダ。
【請求項２】
前記押さえ片を浮き上がらせたことを特徴とする請求項１記載の扁平容器入り化粧料のカード型ホルダ。
【請求項３】
前記押さえ片の角部が円弧状に形成されていることを特徴とする請求項１または２記載の扁平容器入り化粧料のカード型ホルダ。
【請求項４】
前記押さえ片の基端が、前記スリットに差し込んだ各扁平容器入り化粧料の上端縁との間に前記押さえ片を折り立てたときに前記押さえ片の基端と前記スリットに差し込んだ扁平容器入り化粧料の上端縁との間に少なくとも人差し指の先端が挿入可能な距離だけ隔てた位置に形成されていることを特徴とする請求項１，２または３記載の扁平容器入り化粧料のカード型ホルダ。
【請求項５】
前記押さえ片の先端に前記押さえ片を引き上げるための突片が連設されていることを特徴とする請求項１，２，３または４記載の扁平容器入り化粧料のカード型ホルダ。
【発明の詳細な説明】
【技術分野】
【０００１】
本発明は、扁平容器入り化粧料のカード型ホルダに関するものである。
【背景技術】
【０００２】
従来、図３（ａ）に示すように、１枚のシート素材１を縦方向に等分な２カ所で下側及び上側の順に折り重ねることにより上シート部により表紙１１を形成するとともに中間シート部により背表紙１２を形成し、スリット３が形成されている下シート部を前記背表紙１２の表面に折り重ね、図３（ｂ）に示すように縁部において背表紙１２の裏面に固着して保持面１３を形成するとともに図３（ｃ）に示すようにラミネートシートにより溶封した扁平容器入り化粧料２の端部２１を差し込み保持する扁平容器入り化粧料のカード型ホルダが知られている。
【０００３】
この扁平容器入り化粧料のカード型ホルダは、前記扁平容器入り化粧料に一回分の使用量の化粧料を包装してあることから携帯にも便利であるが、特にカード型という観点からカード部分に商品の説明などを印刷することができることから特にサンプル用として多用されている。
【０００４】
ところが、前記図３に示した従来のカード型ホルダは、保持面１３に形成したスリット３に差し込むだけの構成であり、例えば保管したり鞄に入れたりするときに上下を逆にしてしまうとスリット３に差し込んであった扁平容器入り化粧料２が抜けてしまい表紙１１との間に挟まれただけの状態になり、取り出した際に抜け落ちてしまうというおそれがあり、特に、この構成では表紙が下方開放となっているので特に上下逆にして保管してしまいがちである。
【０００５】
そこで、例えば図４に示すように扁平容器入り化粧料２の相対する角部２２，２２を切れ込み６，６に差し込む形式のホルダが特開２０１０−５２３１２号公報等に提示されているが、両側を切れ込み６，６に差し込み保持させる工程が容易でないという問題がある。
【０００６】
また、特開２００２−２６４５７６号公報、特開２０１０−５２３１２号公報等にはスリットに対向して収容物の上縁を挟む矩形や円形の切れ込みを形成したものが提示されているが、これらの公報に提示されている切れ込みは１つの収容物に対して１つの切れ込みを必要とするものであり、図５に示すように複数の扁平容器入り化粧料２を並列状に保持させる場合には差し込み手間はさして変わりなく、多数の扁平容器入り化粧料２を収容する場合には向かない。特に、個々の扁平容器入り化粧料２毎に切れ込み６により形成される押さえ片５を形成することは製造上きわめて煩雑であるとともにデザイン的にも単なる押さえ片５が多数羅列された外観を呈するだけであり、美観が優れないという問題もある。
【先行技術文献】
【特許文献】
【０００７】
【特許文献１】特開２００２−２６４５７６号公報
【特許文献２】特開２０１０−５２３１２号公報
【発明の概要】
【発明が解決しようとする課題】
【０００８】
本発明は前記課題を解決するためになされたものであり、保管や携行中に扁平容器入り化粧料が抜け落ちてしまうことがなく、収容ならびに取り出しも容易で、特に、美観的にも優れており、サンプルなどとして使用する場合には宣伝広告機能にも優れている扁平容器入り化粧料のカード型ホルダを提供することを課題とする。
【課題を解決するための手段】
【０００９】
前記課題を解決するためになされた本発明である扁平容器入り化粧料のカード型ホルダは、１枚のシート素材を縦方向に等分な２カ所で下側及び上側の順に折り重ねることにより表紙になる上シート部と背表紙となる中間シート部と前記中間シート部の表面に折り重ねて縁部において前記中間シート部に固着するとともに扁平容器入り化粧料の端部が差し込まれるスリットが形成されている保持面を形成した扁平容器入り化粧料のカード型ホルダであって、前記保持面に形成されたスリットが横方向に複数個が並列されているとともに前記スリットの上方位置に横幅が両端に位置するスリットに差し込んだ扁平容器入り化粧料に半分以上掛かる長さを有する細長矩形の一辺を残す形状で切れ込みを施して形成した押さえ片を形成したことを特徴とする。
【００１０】
本発明は、扁平容器入り化粧料をスリットに収容するとともに扁平容器入り化粧料の上端を押さえ片で押さえることによりカード型ホルダを上下逆さまにしたとしても扁平容器入り化粧料が抜け落ちることがなく、殊に、並列してスリットに収容される全ての扁平容器入り化粧料を一枚の横長を呈する前記押さえ片によりまとめて押さえるので押さえ片を上げた状態で全ての扁平容器入り化粧料の収容ならびに取り出しが可能であり、きわめて効率がよい。また、押さえ片が横長の一枚であることからデザインの面からも優れており、全体としてのデザインもし易い。
【００１１】
また、前記押さえ片を浮き上がらせた場合には取り出しやすく、それでいて表紙を閉じたときには伏せた状態となり確実に保持することができる。
【００１２】
更に、前記押さえ片の角部が円弧状に形成されている場合には押さえ片に指が係ったりせず、また、全体と融和な印象を与えることができる。
【００１３】
更に、前記押さえ片の基端が、前記スリットに差し込んだ各扁平容器入り化粧料の上端縁との間に前記押さえ片を折り立てたときに前記押さえ片の基端と前記スリットに差し込んだ扁平容器入り化粧料の上端縁との間に少なくとも人差し指の先端が挿入可能な距離だけ隔てた位置に形成されている場合には指先の挿入を可能として差込み行程の作業と使用時の取出しを良好にする。加えて、前記押さえ片の先端に前記押さえ片を引き上げるための突片が連設されている場合には、製造時に切れ込みを施して形成した押さえ片を容易に引き超すことができ、また、使用時にも押さえ片を引き起こしやすい。
【００１４】
更にまた、扁平容器入り化粧料を押さえ片の基端と前記スリットに差し込んだ扁平容器入り化粧料の上端縁との間に少なくとも人差し指の先端が挿入可能な距離だけ隔てた位置に形成されている場合には、扁平容器入り化粧料の収容ならびに取り出しが容易である。
【発明の効果】
【００１５】
本発明によれば、保管や携行中に扁平容器入り化粧料が抜け落ちてしまうことがなく、収容ならびに取り出しも容易で、特に、美観的にも優れており、サンプルなどとして使用する場合には宣伝広告機能にも優れている。
【図面の簡単な説明】
【００１６】
【図１】本発明の実施の形態を示す説明図。
【図２】本発明の異なる実施の形態を示す正面図。
【図３】従来例を示す説明図。
【図４】異なる従来例を示す説明図。
【図５】異なる従来例を示す説明図。
【発明を実施するための形態】
【００１７】
図１は本発明の好ましい実施の形態を示すものであり、全体の構成は前記図３乃至図５に示した従来例とほぼ同様であり、図１（ａ）に示すように、１枚の例えば予め所定の位置に所定の事項（例えば収容するサンプルの説明や宣伝事項）を印刷した適宜の厚紙よりなるシート素材１を縦方向に等分な２カ所で下側及び上側の順に折り重ねることにより上シート部により表紙１１を形成するとともに中間シート部により背表紙１２を形成し、下シート部には予め後述の扁平容器入り化粧料２が差込可能な幅を有する複数のスリット３・・３および前記スリット３・・３に上下方向に対向して所定幅で所定長さのほぼ細長矩形状の押さえ片５を形成する切れ込み６が形成されており、この下部シートを前記背表紙１２の表面に折り重ね、図１（ｂ）に示すように縁部において背表紙１２の裏面に固着して保持面１３を形成するとともに図１（ｃ）に示すようにラミネートシートにより溶封した扁平容器入り化粧料２の端部２１を差し込み保持させるものである。
【００１８】
前記構成を有する本実施の形態は、図１（ｄ）に示すように前記押さえ片５の横幅Ｌ１が少なくとも両端のスリット３，３に差し込んだ扁平容器入り化粧料２，２に半分以上掛かる長さを有する細長矩形の一辺を残す形状で切れ込み６を施して形成した押さえ片５を形成してある。従って、１つの押さえ片５で全てのスリット３・・３に差し込んだ扁平容器入り化粧料２・・２を一度に押さえることができることから、押さえ片５を持ち上げた状態で全ての扁平容器入り化粧料２・・２をスリット３・・３に差し込んでそのまま離すだけの簡単な操作で差込み行程を行うことができる。従って、図３に示した従来例のように保管時や運搬時に扁平容器入り化粧料２がスリット３から抜け落ちる心配がない。
【００１９】
また、使用に際しては１つの押さえ片５を押し上げるだけで所望の扁平容器入り化粧料２を１つずつ或いは複数個まとめて取り出すことができるのできわめて便利である。
【００２０】
特に本実施の形態は押さえ片５が保持面１３より浮き上がらせた状態に形成してあるので押さえ片５を押し上げ易く、また、表紙１１を被せることで保持面１３に接触するのでスリット３に差し込まれている扁平容器入り化粧料２を確実に保持することができる。
【００２１】
また、本実施の形態は押さえ片５角部が円弧状に形成されていることから美観的にも優れているばかりか取り出す際に指などを損傷させる心配もなく、更に本実施の形態は押さえ片５の基端５１が、スリット３に差し込んだ各扁平容器入り化粧料２の上端縁２２との間に押さえ片５を折り立てたときに押さえ片の基端５１とスリット３に差し込んだ扁平容器入り化粧料２の上端縁２２との間に少なくとも人差し指の先端が挿入可能な距離Ｌ２だけ隔てた位置に形成されていることとから、指を前記押さえ片５の内側に差し込んで持ち上げた状態でそのまま所望の扁平容器入り化粧料２をきわめて容易に取り出すことができる。
【００２２】
更にまた、本実施の形態では押さえ片５は横長で保持面１３の主要位置に配置されて目立つ部位であり、この部分に顧客を引きつけやすい事項を印刷することできわめて大きな顧客吸引力を発揮させることができる。殊に本実施の形態では押さえ片５が保持面１３から浮き上がっていることもあり、きわめて大きな宣伝効果を上げることが期待できるものである。
【００２３】
以上のように、本実施の形態は、従来のこの種のカード型ホルダと異なり扁平容器入り化粧料２が抜け落ちる心配がないことはいうまでもなく、扁平容器入り化粧料２の装着ならびに取り出しが容易で、特に１つの押さえ片を操作するだけで全ての扁平容器入り化粧料２の装着ならびに取り出しが可能であり製造上ならびに使用上からきわめて有利である。
【００２４】
図２は本発明の異なる実施の形態を示すものであり、全体の構成は図１に示した実施の形態とほぼ同様であるが、前記押さえ片５の先端５２に前記押さえ片５を引き上げるための突片５３が連設されている点が異なる。本実施の形態では、製造時に切れ込み６を施して形成した押さえ片５を容易に引き超すことができ、また、使用時にも押さえ片５を引き起こしやすい。
【００２５】
また、カード型ホルダを通常の容器として使用する場合は言うまでもなくサンプルケースとして使用する場合には各種の事項を配列し易く、特に押さえ片５の部分を浮き上げた場合には更に特徴づけることも可能である。
【符号の説明】
【００２６】
１  シート素材、２  扁平容器入り化粧料、３  スリット、５  押さえ片、６  切れ込み、１１  表紙、１２  背表紙、１３  保持面、２１  端部、２２  上端縁、５１  基端、５２  先端、５３  突片
【図１】
2016016268.tif 000003
【図２】
2016016268.tif 000004
【図３】
2016016268.tif 000005
【図４】
2016016268.tif 000006
【図５】
2016016268.tif 000007